(57)【要約】【課題】浴槽をコンパクトな寸法に抑えて湯量を削減し、給湯のための時間・費用を低減することができる入浴装置及び入浴システムを提供することにある。【解決手段】浴槽１と、該浴槽１内の底部１ａに支持されていて担架３０を載せるための支持台３とが備えられる入浴装置１０であって、前記底部１ａは水平線に対して傾斜させられており、前記支持台３は、水平状態と、前記底部１ａに沿って傾斜した状態とを選択的に取り得るようにしたことを特徴とする。【選択図】図４
2008278980.tif 000002
【特許請求の範囲】
【請求項１】
浴槽と、該浴槽内の底部に支持されていて担架を載せるための支持台とが備えられる入浴装置であって、
前記底部は水平線に対して傾斜させられており、
前記支持台は、水平状態と、前記底部に沿って傾斜した状態とを選択的に取り得るようにしたことを特徴とする入浴装置。
【請求項２】
前記支持台は、担架を案内させるガイドレールと、前記底部の比較的高い位置近傍に設けられた回転支軸と、前記ガイドレールを前記回転支軸を中心に回動させる昇降部とを備えていることを特徴とする請求項１記載の入浴装置。
【請求項３】
前記底部の下方には、浴槽内へ移送可能な湯を溜めるタンクが設けられていることを特徴とする請求項１または請求項２記載の入浴装置。
【請求項４】
前記浴槽の第一側壁の上部には開口部が設けられ、
前記開口部を開閉させる扉部が備えられていることを特徴とする請求項１から請求項３のいずれかに記載の入浴装置。
【請求項５】
請求項１から請求項４のいずれかに記載の入浴装置と、前記浴槽の側方に横付けされるストレッチャーと、前記支持台及び前記ストレッチャーの間を移動可能に載置される前記担架とから構成される入浴システムであって、
前記入浴装置に前記ストレッチャーが横付けされた状態で、
前記ストレッチャーに備えられる車輪が前記浴槽の下方に進入すると共に、
前記担架の一端部が、前記浴槽内に突出して配置されることを特徴とする入浴システム。
【発明の詳細な説明】
【技術分野】
【０００１】
この発明は、病人や寝たきりの老人、身体障害者等の要介助者を入浴させるための入浴装置及び入浴システムに関する。
【背景技術】
【０００２】
一般に、寝たきりの老人や身体障害者や手術直後の患者のような要介助者を入浴させる入浴装置として、要介助者が載せられた担架をストレッチャーで浴槽に横付けし、このストレッチャー上から浴槽内の支持台に移動させるよう構成される入浴装置が知られている。この入浴装置は、浴槽或いは支持台のうち何れか一方を平行移動によって昇降させて、要介助者を湯に浸からせるようになっている（例えば特許文献１参照）。
このような入浴装置によれば、要介助者を介護する介護者が、比較的労力を必要とせず要介助者を入浴させられるようになっている。
【特許文献１】特開平１１−２０６８４１号公報
【発明の開示】
【発明が解決しようとする課題】
【０００３】
ところで、このような入浴装置において昇降を行うためには、この入浴装置の浴槽は要介助者を載置した担架を十分に収容可能な間口・奥行き寸法を有するとともに、この要介助者に肩口までゆったりと湯に浸かってもらうために必要な平行移動で昇降するための高さを確保する必要がある。そのため浴槽が大きくなって入浴に必要な湯量が増え、この浴槽に湯を張るための時間・費用が増大し、また昇降用の装置も大掛かりなものになるという課題があった。
【０００４】
本発明は、上記課題を鑑みてなされたもので、浴槽をコンパクトな寸法に抑えて湯量を削減し、給湯のための時間・費用を低減することができる入浴装置及び入浴システムを提供することを目的とする。
【課題を解決するための手段】
【０００５】
前記目的を達成するために、本発明は以下の手段を提案している。すなわち本発明は、浴槽と、該浴槽内の底部に支持されていて担架を載せるための支持台とが備えられる入浴装置であって、前記底部は水平線に対して傾斜させられており、前記支持台は、水平状態と、前記底部に沿って傾斜した状態とを選択的に取り得るようにしたことを特徴とする。
【０００６】
この発明における入浴装置によれば、入浴時には、支持台に要介助者を載せた担架を載置し、この支持台を底部に沿って傾斜状態とし、要介助者を十分湯に浸からせることができる。また入浴前及び入浴後には、支持台を水平状態として要介助者を容易に入出浴させることができる。このように傾斜された底部に沿って支持台を傾け入浴を行うことにより、入浴に必要な湯の容積を削減することができる。
【０００７】
本発明の入浴装置において、支持台は、担架を案内させるガイドレールと、底部の比較的高い位置近傍に設けられた回転支軸と、ガイドレールを回転支軸を中心に回動させる昇降部とを備えていることとしてもよい。これにより、支持台の昇降は回転支軸を中心とした回転動作により行われるため、支持台の昇降のための移動距離が極力少なく抑えられるとともに、要介助者を十分に湯に浸かる位置まで昇降させることができる。また、入浴装置本体を昇降させたり或いは支持台を平行移動によって昇降させたりするための大掛かりな昇降機構が不要となり、これらを構成する部材費用を低減できるとともに、入浴装置のコンパクト化を図ることができる。
【０００８】
本発明の入浴装置において、底部の下方には、浴槽内へ移送可能な湯を溜めるタンクが設けられていることとしてもよく、これにより、浴槽への給湯を装置外の給湯設備から時間をかけて少しずつ行うことなくタンクから短時間に浴槽内へ供給することができるので、給湯時間が短縮され、浴槽内の要介助者を迅速に湯に浸からせることができる。
【０００９】
本発明の入浴装置において、浴槽の第一側壁の上部には開口部が設けられ、開口部を開閉させる扉部が備えられていることとしてもよく、これにより、担架に載せられた要介助者をこの開口部で水平移動させて浴槽内又は浴槽外へ入出浴させることができるので、要介助者を浴槽の最上端まで持ち上げたり、或いは浴槽の深さを確保するために装置を床下まで掘り下げたりすることなく、安全且つ簡便に要介助者の入出浴を行うことができる。
【００１０】
本発明は、請求項１から請求項４のいずれかに記載の入浴装置と、前記浴槽の側方に横付けされるストレッチャーと、前記支持台及び前記ストレッチャーの間を移動可能に載置される前記担架とから構成される入浴システムであって、前記入浴装置に前記ストレッチャーが横付けされた状態で、前記ストレッチャーに備えられる車輪が前記浴槽の下方に進入すると共に、前記担架の一端部が、前記浴槽内に突出して配置されることを特徴とする。
【００１１】
この発明における入浴システムによれば、車輪は浴槽の下方に、担架の一端部は浴槽内に突出して配置されるようになっている。よって要介助者を介護する介護者が、ストレッチャーの入浴装置側と反対側に立った状態で要介助者を載せた担架を浴槽とストレッチャーとの間で移動させる際に移動距離が短くてすみ、容易且つ安全に移送を行うことができる。
【発明の効果】
【００１２】
本発明に係る入浴装置及び入浴システムによれば、浴槽をコンパクトな寸法に抑えて湯量を削減し、給湯のための時間・費用を低減するとともに、昇降機構を簡便・安価に構成することができる。
【発明を実施するための最良の形態】
【００１３】
以下、図面を参照し、この発明の実施の形態について説明する。
図１は本発明の一実施形態に係る入浴装置を示す平面図、図２は入浴装置の側面図、図３は図２における支持台の拡大図である。図４は本発明の一実施形態に係る入浴システムにおいて支持台が降下した状態を示す概略断面図、図５は図４における支持台と担架との関係を示す拡大図である。図６は担架を載置した状態のストレッチャーを示す正面図、図７はストレッチャーを示す側面図、図８は入浴システムを示す平面図である。図９は入浴システムを示す正面図、図１０は担架が入浴装置に移送された状態の入浴システムを示す平面図、図１１は図１０の入浴システムを示す側面図である。
【００１４】
図１及び図２において、入浴装置１０は、入浴装置本体２と、この入浴装置本体２の上部に開口して設けられる浴槽１と、浴槽１の底部１ａに配置される支持台３と、入浴装置本体２の第一側壁２ａに設けられる扉部４と、入浴装置１０の操作を行うための操作部５とを備えている。
【００１５】
図２において、第一側壁２ａの上部には開口部２ｂが形成されており、扉部４は、第一側壁２ａの高さ方向に沿って移動可能に構成され、開口部２ｂを開閉させるようになっている。この扉部４が上方へと移動され開口部２ｂを閉じた状態において、扉部４の浴槽１側の面に設けられる不図示のシール部材が、この開口部２ｂの上方を除く周囲３方を液密に密閉させることができるよう構成されている。またこの第一側壁２ａの下部には、凹状の２つのポケット７が下方に開口されて形成されており、入浴装置１０の長手方向の一方と他方とに夫々設けられている。第一側壁２ａと反対側の壁部は第二側壁２ｃとされており、この第二側壁２ｃ側の下方の入浴装置本体２の内部には、浴槽１に張るために十分な湯を蓄えることのできるタンク８が内蔵されている。
【００１６】
図２に示すように、底部１ａは、浴槽１の長手方向に傾斜されて形成されている。底部１ａは、操作部５の側を傾斜の上方として、操作部５の反対側に向かうにつれ徐々に深くなるよう形成されている。また壁部１ｂは、この浴槽１の長手方向の操作部５の側と反対側の側板を形成している。壁部１ｂは前記長手方向に傾斜されており、該長手方向の操作部５側と反対側を傾斜の上方として、操作部５側に向かうにつれ徐々に深くなるよう形成され、底部１ａとこの浴槽１の最深部で繋がっている。
【００１７】
底部１ａの上面には、支持台３が配置されている。この支持台３は、図１に示すように、例えば浴槽１の長手方向と直交する向きに平行に離間して延在する２本のガイドレール３ａ，３ｂと、このガイドレール３ａ，３ｂを上面に固定し前記長手方向に平行に離間して延在する２本の角形基材３ｃと、これら角形基材３ｃの操作部５側の端部に配設される２つの回転支軸３ｄとを備えている。ガイドレール３ａ，３ｂは、その形状が互いに向かい合わされた対称形とされて、角形基材３ｃの上面に固定されて配置されている。これらのガイドレール３ａ，３ｂはその本体が角棒状の形状を有しており、その扉部４側の端部は先端がテーパ状に形成されている。
【００１８】
図１及び図３に示すように、ガイドレール３ａ，３ｂは、その先端のテーパ状の上面が、扉部４側からその反対側に行くにしたがって徐々に上方へと向かって傾斜するように形成されている。また、これら向かい合うガイドレール３ａ，３ｂの先端外側に形成されるテーパ状の外面は、夫々扉部４側からその反対側に行くにしたがって徐々に外方へと向かって傾斜するように形成されている。ガイドレール３ａ，３ｂの内側には、これらガイドレール３ａ，３ｂに沿うようにしてＬアングル３ｉ，３ｊが夫々のガイドレールにその断面Ｌ字状の一の外面を接合されて、他の外面を上方へ向けた状態で対向配置されている。
【００１９】
また図１に示すように、２本の角形基材３ｃの回転支軸３ｄ近傍には、これら角形基材３ｃに架設されるようにして角形基材３ｅが固定されている。また２本の角形基材３ｃは、その両ガイドレール３ａ，３ｂの配置される位置の略中央部にロック支持板３ｆを架設し固定している。また前記ロック支持板３ｆの上面には、フック付きのツメを有するロック部材３ｇがそのツメを扉４側へ向けて配設されている。２つの回転支軸３ｄは、略円柱状の形状を成し、前記２本の角形基材３ｃの向かい合う内面の操作部５側の夫々の端部に、互いの軸線を同一線上となるように向かい合わされて配置され、固定されている。
【００２０】
回転支軸３ｄの下方には、支軸受板３ｈが、この入浴装置１０の長手方向と直交する方向に延在して底部１ａに固定されている。支軸受板３ｈの両端には、回転支軸３ｄが軸線回りに回動可能に支持されている。また、図２に示すように、ガイドレール３ｂの下方には、昇降部６が設けられている。この昇降部６は、昇降動作を行うためのシリンダ６ｂと、シリンダ６ｂから上方に延び浴槽１の前記最深部を液密に貫通する昇降ロッド６ａとを備えている。シリンダ６ｂは、入浴装置本体２に固定支持されており、昇降ロッド６ａを上下方向に昇降させるようになっている。昇降ロッド６ａは、その上端をガイドレール３ｂの裏面に設けられるロッド軸支部３ｋに回転可能に軸支させており、シリンダ６ｂの昇降駆動をガイドレール３ｂに伝達させるようになっている。図２、図３における支持台３は入浴準備・入浴終了状態を示しており、図４、図５における支持台３は入浴状態を示している。図４及び図５において、支持台３は底部１ａに沿った位置まで傾けられている。
【００２１】
図６及び図７において、担架３０は、要介助者を載せるための台であり、ストレッチャー２０は、担架３０をその上面に載置し、要介助者を浴室から脱衣室、脱衣室から浴室或いは脱衣室から病室（居室）、病室（居室）から脱衣室へと移送させるためのものである。また図８〜図１１に示すように、入浴システム５０は、入浴装置１０と、ストレッチャー２０と、担架３０とから構成されている。図８及び図９において、入浴システム５０は担架３０を載置したストレッチャー２０が入浴装置１０の第一側壁２ａの側に横付けされた状態である。また図１０及び図１１において、入浴システム５０は担架３０が入浴装置１０に移送された状態である。
【００２２】
図６及び図７に示すように、ストレッチャー２０は、担架３０を載置するための天板２１と、この天板２１を水平状態に保ちつつ上下方向に昇降させるための昇降装置２５と、このストレッチャー２０を支持し自在に移動させるための４つの車輪２４とを備えている。昇降装置２５は、フレーム２２とシリンダ２３とにより構成されている。フレーム２２は、天板２１を水平状態に保ちつつ上下方向に昇降可能に支持しており、シリンダ２３は、フレーム２２を可動させる動力源である。また図６に示すように、このストレッチャー２０は、担架３０を天板２１上に載置した状態で正面視コ字状に形成されている。天板２１及び昇降装置２５は前記コ字の柱部を形成し図６の正面視右方へ極力寄せられるようにして配置されている。
【００２３】
図１０に示すように、天板２１の上面には、天板２１の長手方向と直交する方向に平行に離間して延在する２本のガイドレール２１ａ，２１ｂが固定されている。これらのガイドレール２１ａ，２１ｂの配置される間隔は、ガイドレール３ａ，３ｂの配置される間隔と同一とされている。両ガイドレール２１ａ，２１ｂはその本体が角棒状の形状を有しており、図６に示す正面視コ字の開口側のその端部先端がテーパ状に形成されている。
【００２４】
ガイドレール２１ａ，２１ｂは、その先端のテーパ状の上面が、正面視コ字の開口側の端部からその反対側に向かうにつれ徐々に上方へと傾斜するように形成されている。また、これら向かい合うガイドレール２１ａ，２１ｂの先端外側に形成されるテーパ状の外面は、夫々正面視コ字の開口側の端部からその反対側に向かうにつれ徐々に外方へと傾斜するように形成されている。両ガイドレール２１ａ，２１ｂの内側には、これらガイドレール２１ａ，２１ｂに沿うようにしてＬアングル２１ｄ，２１ｅが夫々のガイドレールにその断面Ｌ字状の一の外面を接合されて、他の外面を上方へ向けた状態で対向配置されている。また天板２１の上面には、両ガイドレール２１ａ，２１ｂの配置される略中央部にフック付きのツメを有するロック部材２１ｃがそのツメを正面視コ字の開口側へ向けて配設されている。
【００２５】
また、図７、図８に示すように、担架３０は、その長手方向の一方の端部にヘッドレスト３１を設けている。またヘッドレスト３１の他方の側には背もたれ３２が設けられており、さらにその他方の側には座面３３が設けられている。そして要介助者が、ヘッドレスト３１にその頭部を載せ、長手方向の他方の側に足部を向けるようにして座面３３と背もたれ３２とに体重を預けこの担架３０に載せられるようになっている。
【００２６】
この担架３０の座面３３の裏面には、図７に示すように、ローラー３４ａ，３４ｂが夫々複数ずつ設けられている。これらのローラー３４ａ，３４ｂは担架３０の長手方向と平面視直交する方向に同一線上に並べられ、ローラー３４ａの列とローラー３４ｂの列とが互いに平行に離間するように設けられている。またこれら両ローラー３４ａ，３４ｂの配置される間隔は、ガイドレール２１ａ，２１ｂが離間して配置される間隔と同一とされている。両ローラー３４ａ，３４ｂは、ローラー支持体３６により軸支されその軸線を中心に回転可能とされ配設されている。
【００２７】
また両ローラー３４ａ，３４ｂの外側には、複数のサイドローラー３５がローラー支持体３６に垂設されている。サイドローラー３５は、その軸線を鉛直方向に向け軸線回りに回転可能とされている。また両ローラー３４ａ，３４ｂの内側にあるローラー支持体３６の夫々の内面には、Ｌアングル３７が設けられている。このＬアングル３７は、ストレッチャー２０のＬアングル２１ｄ，２１ｅと若干の隙間を設けて嵌め合わされている。また、両ローラー３４ａ，３４ｂの内側の略中央部にはロック部材２１ｃのツメと係合するためのピンを設けるロック受部３８が備えられ、ロック部材２１ｃとロックされ、固定されている。
【００２８】
次に、上記のように構成される入浴装置１０及び入浴システム５０の作用について説明する。
図６、図７に示すように、ストレッチャー２０の天板２１の上面に、担架３０を載置する。詳しくは、図７においてローラー３４ａがガイドレール２１ａの上面に載置され、ローラー３４ｂがガイドレール２１ｂの上面に載置される。そしてこの担架３０は、その長手方向と直交する方向に往復移動可能とされている。このようにして担架３０がストレッチャー２０上に載置された状態において、サイドローラー３５は、両ガイドレール２１ａ，２１ｂの外側の面に夫々摺接されるようにして配置され、両ローラー３４ａ，３４ｂが両ガイドレール２１ａ，２１ｂから担架３０の長手方向に脱落するのを防止するようになっている。これにより担架３０はストレッチャー２０に対し担架３０の長手方向に不可動とされている。
【００２９】
またＬアングル３７は、ガイドレール２１ａ，２１ｂに配設されるＬアングル２１ｄ，２１ｅと遊嵌状態に配設されており、この担架３０がストレッチャー２０から上方へと跳ね上がって脱落するのを防止している。そしてロック受部３８がロック部材２１ｃとロックされ固定された状態で、担架３０の上面に要介助者を載せる。
【００３０】
また図２に示すように、入浴装置１０は、予め扉部４を下げ開口部２ｂを開口状態とし、支持台３を水平状態にしておく。タンク８には、入浴に適した温度の湯を溜めておく。次に図８、図９に示すようにして、担架３０を載置したストレッチャー２０を、入浴装置１０の第一側壁２ａの側へ横付けし固定する。
【００３１】
ストレッチャー２０が入浴装置１０へと横付けされた状態で、図９に示すように、このストレッチャー２０の入浴装置１０側に配置される２つの車輪２４は、夫々ポケット７に収納されるようになっている。これにより、これらの車輪２４が第一側壁２ａにぶつかりそれ以上入浴装置１０側へ接近できなくなることを防止している。
【００３２】
また、図８に示すように、担架３０の入浴装置１０側の一端部は、浴槽１内へと突出されて配置されている。入浴装置１０のガイドレール３ａとストレッチャー２０のガイドレール２１ａとは平面視同一線上となるよう配置されており、ガイドレール３ｂとガイドレール２１ｂとも、平面視同一線上となるよう配置されている。そしてストレッチャー２０は、ガイドレール３ａとガイドレール２１ａ及びガイドレール３ｂとガイドレール２１ｂの夫々の上面の高さを合わせるようにして、昇降装置２５により予め高さを調整されている。そして担架３０は、支持台３の方向へと水平に移送可能なようになされている。
【００３３】
具体的には、担架３０の裏面に備えられる複数のローラー３４ａがガイドレール３ａ，２１ａの上面に夫々載置され、同様にしてローラー３４ｂがガイドレール３ｂ，２１ｂの上面に夫々載置されている。また複数のサイドローラー３５がガイドレール３ａ，３ｂ及びガイドレール２１ａ，２１ｂの外側の面に夫々摺接されるようにして配置され、両ローラー３４ａ，３４ｂがガイドレール３ａ，３ｂ及びガイドレール２１ａ，２１ｂから担架３０の長手方向に脱落するのを防止するようになっている。これにより、担架３０はその長手方向に不可動とされている。また図７、図１１に示すように、Ｌアングル３７は、Ｌアングル３ｉ，３ｊ及びＬアングル２１ｄ，２１ｅと遊嵌状態に配置されており、この担架３０が上方へと跳ね上がって脱落するのを防止している。
【００３４】
このようにしてストレッチャー２０が入浴装置１０へ横付けされた状態において、図７におけるストレッチャー２０のロック部材２１ｃと担架３０のロック受部３８とのロックを、不図示のロック解除レバーにより解除し、担架３０を浴槽１へと水平に押し出し移送する。そして担架３０を、ガイドレール３ａ，３ｂの延在する方向に所定の位置まで移動させていくと、図１１に示すようにロック受部３８が入浴装置１０のロック部材３ｇと係合されてロックされ、担架３０はその長手方向と直交する向きに不可動とされ支持台３上に固定される。
【００３５】
また、図１０において、担架３０が支持台３上に乗り替わりロックされた状態を確認後、扉部４を上方へと移動させ、開口部２ｂを閉じてこの開口部２ｂの上方を除く周囲３方を液密に密閉させる。そしてタンク８に溜められた湯を浴槽１内に給湯させる。
【００３６】
浴槽１内に湯が満たされた後、介護者はさらに要介助者を肩口まで湯に浸からせるため支持台３を降下させる。この降下は、昇降部６によりなされる。図４及び図５に示すように、シリンダ６ｂは、昇降ロッド６ａを降下させ、昇降ロッド６ａはガイドレール３ｂを降下させる。この降下により、支持台３は、水平状態から回転支軸３ｄを回転支点としてガイドレール３ｂ側を降下させるように回転移動させられて傾斜させられていく。このようにして支持台３が降下されると、支持台３に載置される担架３０及び要介助者も同様にして回転支軸３ｄを中心として回転移動し傾斜させられていく。
【００３７】
降下された状態において、要介助者は腰から肩口までゆったりと湯に浸かれるようになされている。この状態で担架３０の座面３３と底部１ａとは略平行となされており、背もたれ３２と壁部１ｂとも略平行となされている。また座面３３と背もたれ３２とが成す角度、底部１ａと壁部１ｂとが成す角度は夫々略同一とされている。そして担架３０の座面３３の裏面と背もたれ３２の裏面とが、夫々底部１ａ、壁部１ｂに近接されて配置されている。このように構成されることにより、この浴槽１の湯の容積は必要最小限に抑えられているとともに、要介助者をゆったりと湯に浸からせることができる。また降下の前後において、座面３３と背もたれ３２とが成す角度を特に調整する必要はなく、この調整作業による介護者の負荷を軽減することができる。
【００３８】
また降下の下端において、サイドローラー３５は、両ガイドレール３ａ，３ｂの外側の面に摺接されるようにして配置され、両ローラー３４ａ，３４ｂが両ガイドレール３ａ，３ｂから担架３０の長手方向に脱落するのを防止するようになっている。これにより、担架３０はその長手方向へ不可動とされている。またＬアングル３７は、Ｌアングル３ｉ，３ｊと遊嵌状態とされており、この担架３０が支持台３から上方へと跳ね上がり脱落することがないようになされている。また、ロック受部３８はロック部材３ｇと係合されロックされているので、担架３０はその長手方向と平面視直交する方向にも不可動とされている。よって、この担架３０は全方向へ対し不可動の状態とされているため、この傾斜した支持台３から脱落する虞がない。
【００３９】
入浴が行われた後は、支持台３を水平状態に戻す。そして、浴槽１に溜められている湯を不図示の排水口から排水させる。入浴に使用された湯は使いまわされることなく入浴ごとに排出されるため、衛生的であり、要介助者の精神的ストレスを低減することができる。湯が排出されると、扉部４が下方へと移動され、開口部２ｂを開放させる。その後の工程は、前述の入浴工程と逆の工程により行われ、出浴作業がなされるようになっている。
【００４０】
以上説明したように、本実施形態における入浴装置及び入浴システムによれば、支持台３の昇降の移動距離が極力少なく抑えられつつ、要介助者に腰から肩口までゆったりと湯に浸かってもらえる位置まで支持台３の回動により昇降させることができる。また、底部１ａを水平線に対して傾斜して構成したので、浴槽１に張られる湯の容積を極力低減することができ、水道費用が削減されるとともに、湯の入れ替えに要する時間を短縮し要介助者への精神的負荷を低減することができる。またこの機構によれば、浴槽自体を昇降させたり或いは支持台３を平行移動によって昇降させたりするための大掛かりな昇降機構は不要であり、これらを構成する部材費用を低減できるとともに、入浴装置１０のコンパクト化を図ることができる。
【００４１】
また、浴槽１に湯を供給するためのタンク８から、短時間で浴槽１へ給湯するので、浴槽１内で要介助者が湯に浸かるまでの時間を極力短縮でき、要介助者への精神的・体力的負荷を低減させることができる。また、開口部２ｂを開閉させる扉部４が備えられており、担架３０に載せられた要介助者はこの開口部２ｂを開口させた状態で水平移送されて浴槽１へ入出浴されるので、この要介助者の入浴を安全且つ簡便に行うことができる。
【００４２】
また、入浴装置１０にストレッチャー２０が横付けされた状態で、ストレッチャー２０に備えられる車輪２４が浴槽１の下方に収納され、担架３０の浴槽１側の一端部が浴槽１内に突出して配置されるようになっている。よってストレッチャー２０の要する幅が極力抑えられ、介護者がストレッチャー２０の入浴装置１０側と反対側に立った状態においても、担架３０に載置される要介助者を浴槽１へ入出浴させる際に移動距離が短くてすみ、容易且つ安全に入出浴作業を行うことができる。
【００４３】
なお、本発明は前記実施の形態に限定されるものではなく、本発明の趣旨を逸脱しない範囲において種々の変更を加えることが可能である。例えば、本実施形態では昇降部６はシリンダ６ｂにより昇降される構成としたが、昇降が可能な構成であればこれに限られることなく、モータにより昇降させる構成としてもよい。また、本実施形態では浴槽１内に給湯を行った後、担架３０を降下させるとしたがこれに限らず、担架３０を降下させた後に給湯を行うこととしてもよい。
【００４４】
また本実施形態では、ストレッチャー２０は担架３０に載せられる要介助者を搬送させるためのものであるが、本発明に係るストレッチャーは、担架３０に載せられる要介助者の身体を洗浄するための洗浄台や、座位した要介助者を移送するための車椅子状のリクライナーも含む概念である。また本発明に係る担架は、リクライナーに使用される座部も含む概念である。よって、ストレッチャー２０に代えて前記洗浄台や前記リクライナーを使用することとしてもよい。或いは、車椅子から浴槽１内の担架３０へ要介助者を移送して入浴させてもよい。
【図面の簡単な説明】
【００４５】
【図１】本発明の一実施形態に係る入浴装置を示す平面図である。
【図２】本発明の一実施形態に係る入浴装置を示す側面図である。
【図３】図２における支持台の拡大図である。
【図４】本発明の一実施形態に係る入浴システムにおいて支持台が降下した状態を示す概略断面図である。
【図５】図４における支持台と担架との関係を示す拡大図である。
【図６】担架を載置した状態のストレッチャーを示す正面図である。
【図７】担架を載置した状態のストレッチャーを示す側面図である。
【図８】本発明の一実施形態に係る入浴システムを示す平面図である。
【図９】本発明の一実施形態に係る入浴システムを示す正面図である。
【図１０】担架が入浴装置に移送された状態の入浴システムを示す平面図である。
【図１１】図１０の入浴システムを示す側面図である。
【符号の説明】
【００４６】
１  浴槽
１ａ  底部
２ａ  第一側壁
２ｂ  開口部
３  支持台
３ａ，３ｂ  ガイドレール
３ｄ  回転支軸
４  扉部
６  昇降部
７  ポケット
８  タンク
１０  入浴装置
２０  ストレッチャー
２４  車輪
３０  担架
５０  入浴システム
【図１】
2008278980.tif 000003
【図２】
2008278980.tif 000004
【図３】
2008278980.tif 000005
【図４】
2008278980.tif 000006
【図５】
2008278980.tif 000007
【図６】
2008278980.tif 000008
【図７】
2008278980.tif 000009
【図８】
2008278980.tif 000010
【図９】
2008278980.tif 000011
【図１０】
2008278980.tif 000012
【図１１】
2008278980.tif 000013